(57)【要約】【課題】比較的簡単な構造でありながら知的興味の湧く知恵の棒を提供することを目的とする。【解決手段】線径、長さ、回転半径、及びピッチがすべて同一である同一形状の複数の螺旋棒（１ａ〜１ｃ、２ａ〜２ｃ、３ａ〜３ｃ）より構成され、前記複数の螺旋棒を順次、所定の順序で組み立てた場合に、円筒状の構成体を形成する知恵の棒１０の作成方法であって、前記複数の螺旋棒の１本を固定するステップと、他の螺旋棒の１本を前記固定された螺旋棒の端部より軸方向に沿わせ、円周方向に回転させながら絡めて２本１組の構成体を作成するステップと、前記構成体に、順次他の螺旋棒を１本ずつ同一手順で集束させ、円筒状の構成体を作成するステップからなることを特徴とする知恵の棒の作成方法。【選択図】図１
2011004863.tif 000002
【特許請求の範囲】
【請求項１】
線径、長さ、回転半径、及びピッチがすべて同一である同一形状の複数の螺旋棒より構成され、前記複数の螺旋棒を順次、所定の順序で組み立てた場合に、円筒状の構成体を形成することを特徴とする知恵の棒。
【請求項２】
線径、長さ、回転半径、及びピッチがすべて同一である同一形状の複数の螺旋棒より構成され、前記複数の螺旋棒を順次、所定の順序で組み立てた場合に、円筒状の構成体を形成する形状である知恵の棒の作成方法であって、
前記複数の螺旋棒の１本を固定するステップと、
他の螺旋棒の１本を前記固定された螺旋棒の端部より軸方向に沿わせ、円周方向に回転させながら絡めて２本１組の構成体を作成するステップと、
前記構成体に、順次他の螺旋棒を１本ずつ同一手順で集束させ、円筒状の構成体を作成するステップからなることを特徴とする知恵の棒の作成方法。
【発明の詳細な説明】
【技術分野】
【０００１】
本発明は、複数本の螺旋棒を絡めて収束し円筒状の構成体に組立て、知恵を育む知恵の棒に関する。
【背景技術】
【０００２】
従来から知恵の輪のごとく、殆どが輪及び円形を基本形にしたものが一般的に知られている。
【０００３】
例えば、特許文献１には高度な解析を要する、子供から大人まで広く楽しめる知恵の輪が紹介されている。この図７に示す従来の知恵の輪は、リング１１をリング連結棒１２の上部穴に通してリング連結棒１２に交差連結し、かつ、リング連結棒１２の下部穴に連結棒１３を通して交差連結した構成物であって、リング１１及びリング連結棒１２部分にＵ字型リング１４を組込み通して構成される知恵の輪である。
【先行技術文献】
【特許文献】
【０００４】
【特許文献１】特開平１０−１３７４４０号公報
【発明の概要】
【発明が解決しようとする課題】
【０００５】
しかしながら、従来の知恵の輪等には次のような問題があった。
イ）知恵の輪の殆どが円形状の構造で単純であって、継続性がなく直ぐに飽きられてしまう。
ロ）子供に合わせた構成の物は簡単すぎて、また大人向けの物は故意に難しくした複雑怪奇なものが多く、けっして興味が湧くものでは無かった。
【０００６】
本発明は、以上の点に着目して成されたもので、比較的簡単な構造でありながら知的興味の湧く知恵の棒を提供することを目的とする。
【課題を解決するための手段】
【０００７】
本発明は、上述の目的を達成するため、以下（１）及び（２）の構成を備えるものである。
【０００８】
（１）線径、長さ、回転半径、及びピッチがすべて同一である同一形状の複数の螺旋棒より構成され、前記複数の螺旋棒を順次、所定の順序で組み立てた場合に、円筒状の構成体を形成することを特徴とする知恵の棒。
【０００９】
（２）線径、長さ、回転半径、及びピッチがすべて同一である同一形状の複数の螺旋棒より構成され、前記複数の螺旋棒を順次、所定の順序で組み立てた場合に、円筒状の構成体を形成する形状である知恵の棒の作成方法であって、
前記複数の螺旋棒の１本を固定するステップと、
他の螺旋棒の１本を前記固定された螺旋棒の端部より軸方向に沿わせ、円周方向に回転させながら絡めて２本１組の構成体を作成するステップと、
前記構成体に、順次他の螺旋棒を１本ずつ同一手順で集束させ、円筒状の構成体を作成するステップからなることを特徴とする知恵の棒の作成方法。
【発明の効果】
【００１０】
本発明の知恵の棒によれば、一見簡単そうで持続性のある創造力を要する棒を完成することで、爽快な気分を満喫でき、指先の運動神経の活性化を促すことが可能となる。
【図面の簡単な説明】
【００１１】
【図１】本実施例に係る知恵の棒の外観図
【図２】本実施例に係る知恵の棒の螺旋棒を２本及び３本絡める手法を示す図
【図３】本実施例に係る知恵の棒の螺旋棒が６本絡められた状態を示す図
【図４】本実施例に係る知恵の棒の螺旋棒が８本絡められた状態を示す図
【図５】本実施例に係る知恵の棒の螺旋棒の９本目の挿入状態を示す図
【図６】本実施例に係る知恵の棒の分解方法を示す図
【図７】従来の知恵の輪の構成図
【発明を実施するための形態】
【００１２】
以下、本発明を実施するための形態を、実施例により詳しく説明する。
【実施例】
【００１３】
まず、本発明に係る知恵の棒の組み立て終了時の状態を図１を参照しながら説明する。この知恵の棒１０は９本の螺旋棒から構成されている。また、これらの棒は青、赤、白の棒がそれぞれ３本ずつ隣接して組まれるものとする。更に、組まれた状態でその断面中央部は中空の穴が形成されている。
【００１４】
従って、これら９本の螺旋棒は同一の線径、同一の回転半径及び同一のピッチを有し、かつ同一の長さを有しているため形状は同一である。図１のように組まれた状態で中空棒となる。
【００１５】
本発明の知恵の棒は、構成部品である各螺旋棒を、作業者に試行錯誤を繰り返しながら図１のような中空棒を完成させること、及び完成した中空棒を無理なく各螺旋棒に分解させることによって、作業者に知的喜びを提供することを目的とするものである。
【００１６】
なお、本発明における知恵の棒は、上記した９本の螺旋棒に限定されるものではなく、より本数の多い螺旋棒を使用してもよく、また色も他の色を用いても無色であってもよい。
【００１７】
本発明の知恵の棒の組立方法を図２〜図５を用いて以下に説明する。
【００１８】
まず、図２（ａ）に示すように、複数本の螺旋棒のうち１本（１ａ、青１）を固定し、他の１本（１ｂ、青２）を端部より軸方向に沿わせ、円周方向に回転させながら絡めて（図２（ｂ））、２本の集束体を作成する（図２（ｃ））。次に、２本の集束体に同様の手順で別の１本（１ｃ、青３）を加えて３本の集束体（図２（ｄ））を作成する。
【００１９】
この３本の集束体の棒に、上記と同様の要領で他方の３本（２ａ〜２ｃ、赤１〜３）を集束し６本の集束体を作成する（図３）。
【００２０】
そして、６本集束の知恵の棒に、同一の要領で２本の螺旋棒（３ａ白１，３ｂ白２）を絡め集束し８本の集束体を作成する（図４）。
【００２１】
最後に、８本の集束体の知恵の棒に、最後の１本（３ｃ、白３）を同様の要領で集束して（図５）円筒状の知恵の棒が完成する。
【００２２】
なお、この知恵の棒の作成方法としては、２本ずつの集束体を４個作成しておき、これらを上記と同様の方法で組み立てた後、最後に１本の螺旋棒を挿入して完成させてもよい。更に、３本、３本、２本の集束体を組み立てた後、最後に１本の螺旋棒を挿入して完成させてもよい。すなわち、この知恵の棒の作成手順は、作成者が任意に組み合わせ、手順を考え決定できるものである。
【００２３】
次に、知恵の棒の分解方法を図６を用いて説明する。
【００２４】
まず、完成した知恵の棒の片方の端部を潰す。そして、螺旋棒の１本（３ｃ）を外へ引き出す。次に、外へ引き出した螺旋棒を引き抜き、他の波状螺旋棒も同様に引き抜いて分解する。このようにすることで、各螺旋棒を曲げたり、変形させたりせずに無理なく分解することが可能となる。
【００２５】
以上のように、本実施例の知恵の棒を組み立て、分解することで知的興味を満たした爽快な気分を満喫でき、指先の運動神経の活性化を促すことが可能となる。
【符号の説明】
【００２６】
１ａ、１ｂ、１ｃ    青の螺旋棒
２ａ、２ｂ、２ｃ    赤の螺旋棒
３ａ、３ｂ、３ｃ    白の螺旋棒
１０    知恵の棒
１１    リング
１２    リング連結棒
１３    連結棒
１４    Ｕ字型リング
【図１】
2011004863.tif 000003
【図２】
2011004863.tif 000004
【図３】
2011004863.tif 000005
【図４】
2011004863.tif 000006
【図５】
2011004863.tif 000007
【図６】
2011004863.tif 000008
【図７】
2011004863.tif 000009